(57)【特許請求の範囲】
【請求項１】
レシートを搬送するための搬送通路を有するハウジングと、前記搬送通路に対向して配置されるレシートガイドとを備え、
前記レシートガイドは、前記レシートを搬送する方向における前記レシートガイドの下流側の端部が前記搬送通路から遠ざかる方向に移動可能であるように、前記ハウジングに固定された軸に回転可能に取り付けられ、
前記レシートガイドの下流側の端部の先には前記レシートの排出口が設けられ、
前記排出口は、筐体側に設けられたカバーによって覆われ、
前記レシートの搬送時、前記レシートの先端が前記排出口に置かれた障害物に突き当たると、前記レシートは先端から複数回ループ状に折り曲げられて複数の山部を形成し、前記複数の山部によって、前記レシートガイドが前記軸を支点として回転して押し上げられ、前記レシートガイドの下面と前記搬送通路と前記カバーとの間に断面三角形状のスペースが形成されることを特徴とするプリンタにおけるレシートガイド機構。
【請求項２】
前記レシートガイドは、長い平面部と、前記平面部に連続する短い傾斜部とを一体に有していることを特徴とする請求項１に記載のプリンタにおけるレシートガイド機構。
【請求項３】
前記レシートガイドの先端の中央部には、切り欠き部が設けられていることを特徴とする請求項１または請求項２に記載のプリンタにおけるレシートガイド機構。
【請求項４】
前記ハウジングに回転軸が設置され、
前記回転軸に羽根車が固定され、
前記羽根車は、周囲に複数枚の弾性変形可能な羽根を有し、
前記各羽根は、前記羽根車が回転すると、前記ハウジングの内面に形成されている前記搬送通路に漸次接近して、レシートを前記搬送通路に押圧し、摩擦力によって前記レシートを連行し、
前記羽根車が停止すると、前記レシートを前記羽根と前記搬送通路とによって挟持して保持することを特徴とする請求項１乃至請求項３のいずれか１項に記載のプリンタにおけるレシートガイド機構。
【発明の詳細な説明】
【技術分野】
【０００１】
本発明は、レシートガイド機構に関し、特に、プリンタにおけるレシートガイド機構に関する。
【背景技術】
【０００２】
従来の第１の技術として、複写機における羽根車による複写用紙の搬送機構について、図１１を参照して説明する。
【０００３】
羽根車３１は、回転軸３２に固定され、周囲に３枚の単純な羽根３１ａを有する。羽根車３１が回転すると、３枚の羽根３１ａによって順次複写用紙を搬送する。
【０００４】
従来の第２の技術として、連続用紙の折畳みスタッカについて、本出願前に頒布された刊行物を引用して説明する（例えば、特許文献１参照。）。
【０００５】
図１２（Ａ）は、要部の正面図であり、一対の羽根車４５を用いて連続用紙ｐのミシン目を折畳むようにして、連続用紙ｐを載置台４３上に積載する状況を示す。
【０００６】
載置台４３の上面に中央部分が最高となる左右対称形の山型の枕４６が、固定されている。枕４６が存在しないと、ミシン目部分が完全に折畳まれないので、積載される連続用紙ｐは、積載量が増加するに連れて左右両側において膨らみ、中央部分が最低となる谷状となり、崩れる。これを防止するために、枕４６は、使用される。
【０００７】
載置台４３は、支持板４７の上にスライドレール４８を介して筐体４１の正面開口（図示せず）から引き出し自在に取付けられている。支持板４７は、昇降機構４９に支持されており、羽根車４５により押圧される連続用紙ｐが一定量になる都度に、圧力センサ等を用いて検知され、昇降機構４９が制御駆動されて、載置台４３を所定量ずつ下降する。
【０００８】
一対の羽根車４５は、載置台４３の左右両側に所定の間隔をもって配置されている。羽根車４５は、回転軸４５ａの軸方向に適当な間隔をもって複数枚の羽根４５ｂを、軸周り方向に角度を順次ずらした位置に固着して構成されている。
【０００９】
このようにして、プリンタ等の排出口から排出される連続用紙ｐは、その自重で筐体４１の上面開口４２から載置台４３の上面に向けて降下し、連続用紙ｐのミシン目を有する屈曲部が回転する羽根車４５により捕捉され、枕４６の上面に押し付けられる。これにより、連続用紙ｐは、折り畳まれて積載される。
【００１０】
図１２（Ｂ）は、羽根車と揺動板との連動機構の正面図である。
【００１１】
各羽根車４５の上方に、揺動板５０が設けられている。図１２（Ｂ）には、便宜上図１２（Ａ）の左側の揺動板５０のみを示す。この揺動板５０は、幅方向一端部において筐体４１に支持された回転軸５１により揺動自在に支持され、他端部が載置台４３の上面方向に倒れるようにばね又は重力で付勢されている。筐体４１内には、各羽根車４５の回転軸４５ａ上に固着されたプーリ５２と、回転軸５３に固着されたプーリ５４との間にベルト５５を掛け渡され、回転軸５３上にカム５６が固着されている。
【００１２】
カム５６の周面には、支点５７で支持されたカムレバー５８の一端部に取付けられたカムフォロア５９が当接されている。カムレバー５８の他端部は、揺動板５０の基端部付近まで延長されて、その揺動板５０に当接されている。そして、カムフォロア５９がカム５６の小径部５６ａに当接している間は、ばね又は重力で付勢されている揺動板５０を、実線で示すように、その先端が下位に存して載置台４３の上面方向に下り傾斜する状態に保持している。
【００１３】
これに対して、羽根車４５の回転に連動してカム５６が回転し、その大径部５６ｂにカムフォロア５９が当接した場合は、カムレバー５８が回転して、一点鎖線で示すように、揺動板５０を上方にほぼ垂直状態になるまで回転させる。そして、揺動板５０の起立と傾倒は、プリンタ等の排出口から降下する連続用紙ｐの一つのミシン目部分が開口４２に落下する度に、少なくとも１回行われるように、タイミングが設定されている。
【００１４】
従来の第３の技術として、プリンタにおける用紙の強制排出機構について、本出願前に頒布された刊行物を引用して説明する（例えば、特許文献２参照。）。
【００１５】
図１３は、カッタ装置が連続紙を切断する過程を示す側面図である。ここで、カッタ装置６１では、可動刃６３と固定刃６２との間に案内経路７３が位置付けられ、案内経路７３はその部分からレシート発行口（図示せず）まで至る。その間の領域において、可動刃６３の上面に形成された案内面６３ａと、案内面６３ａに対面するカッタカバー７１の中央部分の領域に形成された規制部材７６とによって案内経路７３が形成される。そして、この領域における案内経路７３は、その隙間が０．３ｍｍ〜０．９ｍｍに形成された狭小案内経路７７として形成されている。ここで、狭小案内経路７７の０．３ｍｍ〜０．９ｍｍという隙間は、レシート用紙として用いられる一般的な連続紙７８の厚さよりも僅かに広い間隔を持つ隙間である。このため、図１３（Ｃ）に示されるように、狭小案内経路７７に切断後の連続紙７８であるレシート７９が残留する場合、この残留するレシート７９に後続して排出搬送される連続紙７８が重なり合うとき、狭小案内経路７７の内部では残留するレシート７９の表面と後続する連続紙７８の裏面とが接触するので、残留するレシート７９は後続する連続紙７８との摩擦によって排出されるという機能が営まれる。
【００１６】
また、下部ユニット（図示せず）における下部下流案内板７２は、可動刃６３に形成された案内面６３ａよりも僅かに高さが高く形成されている。そして、下部下流案内板７２の可動刃６３に対面する側壁は、案内面６３ａよりも僅かに高さが高い当接面７２ａに形成されている。
【００１７】
ここで、カッタ装置６１が連続紙７８を切断する動作について説明する。印字済み連続紙７８は、案内経路７３を通過し、可動刃６３に形成された案内面６３ａとカッタカバー７１に形成された規制部材７６との間に形成された狭小案内経路７７に案内されてレシート発行口（図示せず）から排出される。この状態で、連続紙７８を切断する命令が、カッタ装置６１に入ると、可動刃６３が駆動される。すると、可動刃６３は、図１３（Ａ）の状態から図１３（Ｂ）の状態に可動刃軸６４を支点として回転し、切断位置ＣＰで固定刃６２とかみ合う。これにより、案内経路７３に案内されて切断位置ＣＰに位置する連続紙７８が切断され、切断された連続紙７８は取引明細が記録されたレシート７９としてレシート発行口（図示せず）から発行される。
【先行技術文献】
【特許文献】
【００１８】
【特許文献１】実開平６−８７３６０号公報
【特許文献２】特開２００２−１４４６５７号公報
【発明の概要】
【発明が解決しようとする課題】
【００１９】
前記従来の第１の技術として説明した複写機における羽根車による複写用紙の搬送機構には、羽根車が使用されているが、羽根車の作用は、単純な羽根によって複写用紙を搬送することにとどまる。
【００２０】
また、前記従来の第２の技術として説明した連続用紙の折畳みスタッカにおいては、羽根車が使用されているが、羽根車は、折り畳まれて積載された連続用紙を押さえる作用を行うに過ぎない。
【００２１】
更に、前記従来の第３の技術として説明したプリンタにおける用紙の強制排出機構においては、図１３（Ｃ）における残留するレシート７９に後続して排出搬送される連続紙７８が重なり合うとき、狭小案内経路７７の内部では残留するレシート７９の表面と後続する連続紙７８の裏面とが接触するので、残留するレシート７９は後続する連続紙７８との摩擦によって排出されるという機能が営まれる。
【００２２】
そこで、本発明は、前記諸従来の技術の欠点を改良し、プリンタにおける連続用紙のレシートガイド機構の構造の簡素化と操作の便宜化を図ろうとするものである。
【課題を解決するための手段】
【００２３】
本発明は、前記課題を解決するため、次の手段を採用する。なお、実施例の部材部位に付されている符号を本発明の構成の次に記入する。
【００２４】
１．レシート２１を搬送するための搬送通路２ａを有するハウジング２と、前記搬送通路２ａに対向して配置されるレシートガイド６とを備え、前記レシートガイド６は、前記レシート２１を搬送する方向における前記レシートガイド６の下流側の端部が前記搬送通路２ａから遠ざかる方向に移動可能であるように、前記ハウジング２に固定された軸に回転可能に取り付けられているレシートガイド機構。
【００２５】
２．前記レシートガイド６は、長い平面部６ｂと、前記平面部６ｂに連続する短い傾斜部６ｃとを一体に有している前記１に記載のレシートガイド機構。
【００２６】
３．前記レシートガイド６の先端の中央部には、切り欠き部６ｄが設けられている前記１または前記２に記載のレシートガイド機構。
【００２７】
４．前記ハウジング２に回転軸３が設置され、前記回転軸３に羽根車４が固定され、前記羽根車４は、周囲に複数枚の弾性変形可能な羽根４ａを有し、前記各羽根４ａは、前記羽根車４が回転すると、前記ハウジング２の内面に形成されている前記搬送通路２ａに漸次接近して、レシート２１を前記搬送通路２ａに押圧し、摩擦力によって前記レシート２１を連行し、前記羽根車４が停止すると、前記レシート２１を前記羽根４ａと前記搬送通路２ａとによって挟持して保持する前記１乃至前記３のいずれかに記載のレシートガイド機構。
【発明の効果】
【００２８】
明細書の説明から明らかなように、本発明は、次の効果を奏する。
【００２９】
１．羽根車によって、レシートの搬送と保持を行うことができるので、構造が簡素で、しかも、レシートは、ハウジングの外側から不所望に軽く引張られたり、風に吹かれたりしても、ハウジングから排出することを防止される。
【００３０】
２．各羽根は、羽根車の周囲から、ハウジングの通路に漸次接近するように突出する曲面部と、曲面部に連続する平面部とから構成されるので、まず、曲面部がレシートの感熱面に緩やかに接触するため、感熱面の発色が抑制される。次に、平面部がレシートの感熱面に接触するから、羽根車にかかる負荷が軽減するので、羽根車の耐久性が向上する。
【００３１】
３．プリンタからレシートの排出を阻止された場合には、若干の程度のレシートのスタックが可能となり、また、スタックが所定の程度を超過した場合には、プリンタのジャムの検知装置を動作することができる。更に、レシートガイドを回転して押し上げるときの動力やセンサが、不要である。更に、レシートガイド機構がレシートスタック機構を兼ねるので、部品点数が少ない。
【００３２】
４．レシートガイドが長い平面部とこれに連続する短い傾斜部とから一体に構成されるので、プリンタはコンパクトに構成される。
【００３３】
５．レシートの先端が排出口まで到達しない場合、レシートガイドの先端の中央部には、切り欠き部が設けられているから、この切り欠き部から手指を挿入してレシートの先端を摘まんで引き出すことができるので、便利である。
【００３４】
６．用紙交換の際に手指掛け部が操作されると、レシートガイドはハウジングにロックされ、対向する扉が閉じられる際に扉当接部が操作されると、レシートガイドはハウジングに自動的にセットされるので、便利である。
【００３５】
７．レシートガイドの付勢に引張りコイルばねを採用するので、作用がスムーズで、レシートガイドとハウジングへの取付けが簡便である。
【図面の簡単な説明】
【００３６】
【図１】本発明の実施例１のプリンタにおける羽根車式レシート搬送及び保持機構の断面図である。
【図２】同機構の羽根車の諸図であり、（Ａ）は正面図で２個の同羽根車の合計６枚の羽根が６０°ずつ位相がずれた状態、（Ｂ）は側面図、（Ｃ）は同羽根車の部分拡大図、（Ｄ）は２個の同羽根車の斜視図を、それぞれ示す。
【図３】同羽根車が回転を停止したときのレシートの後端の位置の一例を示す断面図である。
【図４】同羽根車の接触面の変化図であり、（Ａ）は同羽根車の搬送通路への接触の瞬間、（Ｂ）は同羽根車の平面部の搬送通路への接触状態を、それぞれ示す。
【図５】本発明の実施例２のプリンタにおけるレシートスタック機構を兼ねるレシートガイド機構の断面図であり、（Ａ）は同機構における同レシートの通常搬送時の状態、（Ｂ）は異常搬送に起因するレシートスタック時の状態を、それぞれ示す。
【図６】同機構の同レシートの先端が排出口まで到達しない場合の対策構造を示す断面図である。
【図７】本発明の実施例３におけるプリンタにおける自己復帰機能を有するレシートガイド開閉機構の正面図であり、（Ａ）は同機構における同レシートの交換時のロック状態、（Ｂ）はレシートガイドのセット状態を、それぞれ示す。
【図８】同機構において、筐体側の扉を閉める際の同レシートガイドの移動状況を示す断面図である。
【図９】本発明の実施例１，２が設置されているプリンタの全体構成を示す断面図であり、印字後の同レシートが排出される瞬間の状態を示す。
【図１０】本発明の実施例１，２が設置されているプリンタの全体構成を示す断面図であり、印字後の同レシートがレシートガイドにより案内された後の状態を示す。
【図１１】従来の第１の技術の複写用紙の搬送に使用される羽根車であり、（Ａ）は正面図、（Ｂ）は側面図を、それぞれ示す。
【図１２】従来の第２の技術の連続用紙の折畳みスタッカの正面図であり、（Ａ）は全体図、（Ｂ）は羽根車と揺動板との連動機構を、それぞれ示す。
【図１３】従来の第３の技術のプリンタにおける用紙の強制排出機構の作動過程を順次（Ａ）〜（Ｃ）に示す。
【発明を実施するための形態】
【００３７】
本発明のプリンタにおける連続用紙の搬送、ガイド及び保持機構の３つの実施例について説明する。各実施例のプリンタはサーマルプリンタであり、また、レシートはサーマルレシートである。
【実施例１】
【００３８】
本発明の実施例１のプリンタにおける羽根車式レシート搬送及び保持機構について図１〜図４（Ｂ）を参照して説明する。
【００３９】
羽根車４は、図示しないステッピングモータによって駆動される。プリンタ内部でレシート印字のためにレシート用紙の搬送が開始されると、羽根車４も回転を開始する。その後、プリンタ内部で印字が終了し、レシート用紙が切断されると、切断後の所定時間経過後に羽根車４は回転を停止し、切断後のレシートを保持する。
【００４０】
図１は、プリンタ１（全体構成については図９，１０参照）における連続用紙から切断されて羽根車４によって搬送されるレシート２１の搬送時の断面図である。
【００４１】
図１〜図４（Ｂ）に示されるように、プリンタ１のハウジング２に設置されている軸受（図示せず）に回転軸３が回転可能に支持され、回転軸３にはその軸方向に２個の羽根車４が固定されている。各羽根車４は、シリコーンゴムから製造され、周囲に３枚の弾性変形可能な羽根４ａを有する。
【００４２】
各羽根４ａは、羽根車４の周囲から、ハウジング２の内面に形成されている搬送通路２ａ（図４参照）に漸次接近するように突出するサイクロイド状等の曲面部４ａ１と、これに連続する平面部４ａ２とから構成される。
【００４３】
レシート２１は、搬送通路２ａと中間レシートガイド５及びレシートガイド６との間を搬送されるが、レシートガイド６については後述する。
【００４４】
各羽根車４が左回転すると、まず、各羽根４ａの曲面部４ａ１がレシート２１の感熱面２１ａに緩やかに弾性変形しながら接触し、次に、平面部４ａ２がレシート２１の感熱面２１ａを左方向に押して、レシート２１の非感熱面２１ｂをハウジング２の搬送通路２ａに押圧する。すると、各平面部４ａ２が摩擦力によってレシート２１を下方向に連行するので、レシート２１はハウジング２の排出口２ｂから排出される。排出口２ｂの付近は、筐体側のカバー１１によって被覆されている。
【００４５】
必要な摩擦力が生じるためには、各羽根４ａの平面部４ａ２の面積を相当に広く構成する。
【００４６】
図２（Ａ）〜（Ｄ）は羽根車４の諸図であり、（Ａ）は正面図で２個の羽根車４の合計６枚の羽根４ａが６０°ずつ位相がずれた状態、（Ｂ）は側面図、（Ｃ）は羽根車４の部分拡大図、（Ｄ）は２個の羽根車４の斜視図を、それぞれ示す。
【００４７】
図３は、羽根車４が回転を停止したときのレシート２１の後端２１ｃの位置の一例を示す。羽根車４の回転軸３の基準線を０ｍｍとすれば、羽根車４の搬送通路２ａへの初期接触点は４．９ｍｍである。
【００４８】
図４は羽根車４の接触面の変化図であり、図４（Ａ）は羽根車４の搬送通路２ａへの接触の瞬間、図４（Ｂ）は羽根車４の平面部４ａ２の搬送通路２ａへの接触状態を、それぞれ示す。
【００４９】
図４に示すように羽根車４の回転とともに羽根４ａの接触面が変化するが、必ず１枚以上の羽根４ａが搬送通路２ａと接触する為、羽根車４が回転を停止したときにレシートの後端２１ｃが羽根車４の搬送通路２ａへの初期接触点よりも上となるようにレシート切断後から羽根車停止までの時間を設定することで、確実にレシートをハウジング２の搬送通路２ａと挟持してレシート保持できる。
【００５０】
図４（Ｂ）の位置では、レシート２１の上端付近は、羽根４ａの平面部４ａ２とハウジング２の搬送通路２ａとによって挟持されているので、レシート２１は、ハウジング２の外側から不所望に軽く引っ張られたり、風に吹かれたりしても、ハウジング２から排出することを防止される。
【実施例２】
【００５１】
本発明の実施例２のプリンタにおけるレシートスタック機構を兼ねるレシートガイド機構について図５と図６を参照して説明する。ただし、実施例２については、実施例１と同様な点の説明を省略し、相違する点の説明を行う。
【００５２】
図５（Ａ）は、プリンタ１における連続用紙から切断されて羽根車４によって搬送されるレシート２１の通常搬送時の断面図である。
【００５３】
レシート２１は、ハウジング２の内面に形成されている搬送通路２ａと中間レシートガイド５の下面５ａ及びレシートガイド６の下面６ａとの間を搬送される。
【００５４】
レシートガイド６は、長い平面部６ｂとこれに連続する短い傾斜部６ｃとから一体に構成される。レシートガイド６は、ハウジング２に固定されている軸７に回転可能に取付けられている。
【００５５】
図５（Ａ）の通常搬送時の状態では、レシート２１は、中間レシートガイド５の下面５ａ及びレシートガイド６の下面６ａとハウジング２の搬送通路２ａとの間を通過して、ハウジング２の排出口２ｂから外部に排出される。
【００５６】
図５（Ｂ）は、異常搬送に起因するレシートスタック時の断面図である。
【００５７】
レシート２１の先端がレシート２１の搬送を妨害する顧客の手指等の障害物１２に突き当たると、レシート２１は、先端から複数回ループ状に不規則に折り曲げられる。この結果、レシートガイド６は、レシート２１の複数のループ状の山部２１ｄによって、軸７を支点として左回転して押し上げられる。
【００５８】
したがって、レシート２１の先端付近は、レシートガイド６の下面６ａとハウジング２の搬送通路２ａとの間の断面三角形状のスペースに溜め込まれる。よって、異常搬送時に直ちにジャム（紙詰り）の検知装置を動作させずに、若干の程度のレシート溜めが可能となる。
【００５９】
図６は、レシート２１の先端２１ｅが排出口２ｂまで到達しない場合の対策構造を示す断面図である。レシートガイド６の先端の中央部には、切り欠き部６ｄが設けられている。この切り欠き部６ｄから手指を挿入してレシート２１の先端２１ｅを摘まんで引き出す。なお、レシートガイド６に隠れて見えないレシート２１の部分２１ｆに斜線を施した。
【００６０】
レシートスタック量の変更又はレシート２１の種類に応じて、適切なねじりばねを軸７のねじりばね取付け部７ａに取り付ける。
【実施例３】
【００６１】
本発明の実施例３におけるプリンタにおける自己復帰機能を有するレシートガイド開閉機構について図７と図８を参照して説明する。
【００６２】
図７（Ａ）は、プリンタ１における用紙の交換の際に、作業者の手指がレシートガイド１６の一端に設けられている手指掛け部１６ｄを左方向に引くことによりレシートガイド１６がロックされた状態の正面図である。
【００６３】
プリンタ１のハウジング２には、軸１７が固定され、軸１７にレシートガイド１６が回転可能に取付けられている。ハウジング２の下部に設けられているフック２ｃとレシートガイド１６の他端に設けられているフック１６ｅとの間に、引張りコイルばね１８が掛け渡されている。
【００６４】
図７（Ａ）の状態においては、引張りコイルばね１８は、矢印方向にレシートガイド１６を引張っている。したがって、レシートガイド１６は、軸１７を中心として矢印方向（左回転）のモーメントを与えられ、レシートガイド１６の中間部に設けられている第１被ストッパ１６ｆは、ハウジング２の上部に設けられている第１ストッパ２ｄに当接し、レシートガイド１６は、ハウジング２にロックされている。この状態で、作業者は、用紙の交換を行うことができる。
【００６５】
図７（Ｂ）は、筐体側の扉１３（図８参照）が閉じられることにより、レシートガイド１６が自動的にロックされた状態の正面図である。
【００６６】
図７（Ａ）の状態において、作業者が扉１３を矢印方向に閉めると、扉１３の右側はレシートガイド１６の一端に設けられている扉当接部１６ｇに当接するので、レシートガイド１６は、軸１７を中心として矢印方向（右回転）のモーメントを与えられ、図８に示めされる左側の２点鎖線の位置から右側の２点鎖線の位置を経て実線の位置へ右回転する。このとき、引張りコイルばね１８には、張力が作用し、引張りコイルばね１８の中心線（すなわち、ハウジング２の下部に設けられているフック２ｃとレシートガイド１６の他端に設けられているフック１６ｅとを結ぶ直線）が、軸１７の一方側から他方側に移動するので、レシートガイド１６は、図７（Ｂ）に示される位置まで起立する。この位置で、レシートガイド１６の一端付近に設けられている第２被ストッパ１６ｈは、ハウジング２の上部に設けられている第２ストッパ２ｅに当接し、レシートガイド１６は、ハウジング２の所定位置に自動的にセットされる。
【００６７】
図９は、本発明の実施例１，２が設置されているプリンタ１の全体構成を示す断面図であり、印字後のレシート２１が排出される瞬間の状態を示す。プリンタ１は、プリンタの制御基板８に搭載されている諸機器によって制御され、羽根車４は、羽根車機構の制御基板９に搭載されている諸機器によって制御される。プリンタ１の制御基板８と羽根車機構の制御基板９は接続されている為、プリンタ１の動作に同期させて羽根車４の回転と停止を制御できる。
【００６８】
図１０は、同プリンタ１の全体構成を示す断面図であり、印字後のレシート２１がレシートガイド６により案内された後の状態を示す。
【符号の説明】
【００６９】
１  プリンタ
２  ハウジング
２ａ  搬送通路
２ｂ  排出口
２ｃ  フック（第２のばね固定部）
２ｄ  第１ストッパ
２ｅ  第２ストッパ
３  回転軸
４  羽根車
４ａ  羽根
４ａ１  曲面部
４ａ２  平面部
５  中間レシートガイド
５ａ  下面
６  レシートガイド
６ａ  下面
６ｂ  長い平面部
６ｃ  短い傾斜部
６ｄ  切り欠き部
７  軸
７ａ  ねじりばね取付け部
８  プリンタの制御基板
９  羽根車機構の制御基板
１１  筐体側のカバー
１２  障害物
１３筐体側の扉
１６  レシートガイド
１６ｄ  手指掛け部
１６ｅ  フック（第１のばね固定部）
１６ｆ  第１被ストッパ
１６ｇ  扉当接部
１６ｈ  第２被ストッパ
１７  軸
１８  引張りコイルばね
２１  レシート
２１ａ  感熱面
２１ｂ  非感熱面
２１ｃ  レシートの後端
２１ｄ  ループ状の山部
２１ｅ  レシートの先端
２１ｆ  レシートガイドに隠れて見えないレシートの部分
【図１】
0005505999.tif 000002
【図２】
0005505999.tif 000003
【図３】
0005505999.tif 000004
【図４】
0005505999.tif 000005
【図５】
0005505999.tif 000006
【図６】
0005505999.tif 000007
【図７】
0005505999.tif 000008
【図８】
0005505999.tif 000009
【図９】
0005505999.tif 000010
【図１０】
0005505999.tif 000011
【図１１】
0005505999.tif 000012
【図１２】
0005505999.tif 000013
【図１３】
0005505999.tif 000014